(57)【特許請求の範囲】
【請求項１】
家具用脚を嵌挿する挿入孔を有し、該挿入孔の底部で家具用脚を受ける脚受キャップを内蔵した脚係合部を上部に形成した弾性材からなるキャップ本体と、
該キャップ本体の下部に形成されて下面が接地する接地部と、
上記キャップ本体内で上記脚受キャップと接地部の間に形成された中空部と、
前記脚受キャップに穿設されて上記中空部に連なる貫通孔と、
該貫通孔に挿入して前記中空部を密閉すると共に、家具用脚の下端と脚受キャップとの間に介設されるキャップ栓とからなることを特徴とする家具用脚の接地キャップ。
【請求項２】
脚係合部が筒状に形成され、キャップ本体が略球状に形成されており、脚受キャップの下方離間位置で固定された接地部の下面がキャップ本体と同一の球面状に形成されてなることを特徴とする請求項１に記載の家具用脚の接地キャップ。
【発明の詳細な説明】
【０００１】
【発明の属する技術分野】
この発明は、クッション性を高めた家具用脚の接地キャップに関する。
【０００２】
【従来の技術】
椅子やテーブルその他の家具用脚に嵌め込む接地キャップは、家具用脚を支持する脚受部分では家具用脚にかかる荷重を受ける強度が必要であり、床面と接地する接地部分では強度と共に適度な滑性（摩擦度）が要求され、かつ接地キャップ全体としては良好なクッション性が必要とされる。
従来、この種の家具用脚の接地キャップとして種々構成のものが提案されてきたが、未だ上記要求を全て満たすものはなく、この種の分野において解決が待たれていた。
【０００３】
【発明が解決しようとする課題】
本発明は、上記事情に鑑みて創案されたものであって、その主たる課題は、クッション性に優れると共に、家具用脚の荷重を受ける強度を有し、床面に対しては適度な滑性を有する家具用脚の接地キャップを提供することにある。
【０００４】
【課題を解決しようとする手段】
上記課題を達成するために、請求項１の発明にあっては、
家具用脚を嵌挿する挿入孔を有し、該挿入孔の底部で家具用脚を受ける脚受キャップを内蔵した脚係合部を上部に形成した弾性材からなるキャップ本体と、
該キャップ本体の下部に形成されて下面が接地する接地部と、
上記キャップ本体内で上記脚受キャップと接地部の間に形成された中空部と、
前記脚受キャップに穿設されて上記中空部に連なる貫通孔と、
該貫通孔に挿入して前記中空部を密閉すると共に、家具用脚の下端と脚受キャップとの間に介設されるキャップ栓とからなる、という技術的手段を講じている。
また、請求項２の発明では、
前記脚係合部が筒状に形成され、キャップ本体が略球状に形成されており、脚受キャップの下方離間位置で固定された接地部の下面がキャップ本体と同一の球面状に形成されてなる、という技術的手段を講じている。
【０００５】
【発明の実施の形態】
以下に、本発明の家具用脚の接地キャップをパイプ製の脚を有する椅子に適用した場合の好適実施例について図面を参照しながら説明する。
図１から図６に示す接地キャップ１は、脚係合部３を上部に一体に形成した弾性材からなるキャップ本体６からなっている。
【０００６】
脚係合部３は、椅子のパイプ製の脚１０を嵌挿する挿入孔２を有しており、該挿入孔２の底部でキャップ本体６内には脚１０を受ける脚受キャップ４を内蔵している。
また、キャップ本体６の下部には接地部７がキャップ本体６と別体に形成されてキャップ本体６に埋設されており、該接地部７の下面は床面に接地するようにキャップ本体６と同一面状に形成されている。
【０００７】
そして、上記キャップ本体６内には上記脚受キャップ４と接地部７の間に密閉される中空部９が形成され、キャップ本体６がエアークッションの機能を有するようになっている。
【０００８】
前記脚係合部３は、挿入孔２を有しており、その挿入孔２の開口端から下方に向かって肉厚が徐々に厚くなるように形成されているので、キャップ本体６が脚１０から脱落しにくい。
脚受キャップ４は、脚１０の荷重を受けるのに充分な硬度と、耐摩耗性及び弱潤滑性を持つエンジニアリングプラスチック（ジュラコン樹脂）で成形されている。
本実施例の場合は、接地部７も同様の素材で成形されている。
キャップ本体６に内装された脚受キャップ４には、中央に下方の中空部９に連なる貫通孔４ｂが穿設されている。
一方、蓋となる頭部が前記挿入孔２とほぼ同寸法に設定された円板形状からなり、中央で垂下して軸部が前記貫通孔４ｂに略隙間無く嵌挿しうるキャップ栓５が別に設けられている。
【０００９】
このキャップ栓５を脚受キャップ４の貫通孔４ｂに挿入し、必要に応じて接着する。
キャップ栓５は、図５に示すように、脚１０を脚係合部３へ差し込んで接地キャップ１が使用される状態では、常に荷重は上方からかかるのでキャップ栓５が外れることはない。
また、キャップ栓５を用いることにより、脚係合部３（挿入孔２）の底部にスチール製キャップ等を内装する必要もない。
また、キャップ栓５で、キャップ本体６内に形成された中空部９が外気と完全に遮断された密閉状態となり、エアークッションとして機能する。
【００１０】
本実施例では、脚受キャップ４は、中央が凹窩するキャップ状からなっており、接地部７は中実のキャップ状からなっており、いずれもその基部（脚受キャップ４では下部、接地部７では上部）にそれぞれリング状の鍔部４ａ、７ａが一体に形成されており、キャップ本体６内にしっかり噛込まれるので、脚受キャップ４および接地部７はキャップ本体６に固着され、脱抜する虞れはない（図１、５参照）。
【００１１】
そして、前述のように、キャップ本体６の中央部には上記脚受キャップ４が内装されていて脚１０の荷重を受けることができるので、キャップ本体６には無理な力がかからずに破損しにくく、また接地キャップ１自体も脚１０から外れにくい。
【００１２】
次に、接地部７は、上部にリング状の鍔部７ａが形成され、球状のキャップ本体６内にしっかり噛込むのではずれることはない。
ここで、脚１０は垂直とは限らず、特に椅子の脚は傾斜している場合が多い。  そこで任意の脚角度にも対応できるように、接地部７の下部７ｂは球面状となっている。
この接地部７は、耐摩耗性と弱潤滑性を併せ持つ樹脂により形成されているが、接地部７の素材を変更することにより、床面との摩擦係数を変えるなど任意の機能性を持たせることが容易である。
【００１３】
本実施例で接地キャップ１は、図２に示すように脚係合部３とキャップ本体６とで略フラスコ状からなっている。
この接地キャップ１は、上記脚受キャップ４および接地部７を成形金型の中に設置して、二重成形（ダブルモルデインク）法によって、接地キャップ１を一体成形する。
接地キャップ１は弾力性を持つＰＶＣ（塩化ビニール樹脂）を素材として用いて脚係合部３とキャップ本体６とを一体に形成するもので、上記キャップ本体６内に脚受キャップ４および接地部７を内装し、該脚受キャップ４と接地部７の間には中空部９が形成される。
【００１４】
即ち、接地キャップ１は、図７に示すように、球体赤道線上で上下に分離する雌型２０、２１と、脚挿入孔２と脚受キャップ４の貫通孔４ｂ及び中空部９が連続した形状の雄型２２から構成される金型で成形される。
下部の雌型２０の下部底から立ち上がる取付ピン２３に接地部７のピン孔８を差し込んで位置決めを行う。
次いで、雄型２２で挿入孔２を形成する突出ピン部２４に脚受キャップ４を貫通孔４ｂを介して差し込み取り付ける。
脚受キャップ４と接地体７とを内装させた雄型２２を中心として雌型２０、２１を閉じて成形し、雄型２２を引き抜く。
【００１５】
このような成形方法によるために、中空部９が一体成形されるが、脚受キャップ４には底部には貫通孔４ｂが必須の構成となる。
そして、上記貫通孔４ｂを閉鎖するために前記キャップ栓５が用いられる。
また、脚受キャップ４をキャップ本体６に内装し、接地部７はキャップ本体６に一部内装する二重成形法により、異なる素材同士を強固に噛み合わせている。
このようにして接地部７および脚受キャップ４と、挿入孔２および中空部９の形成を一回の成形作業で完了することができる。
【００１６】
上記構成からなっているので、弾力性のあるキャップ本体６の容積が大きいため良好なクッション性が得られる。
また、キャップ本体６内部に、エアタイト（外気から密閉された）な中空部９が同時に形成されるので、中空部９は外気から遮断され、密閉されてエアークッションの役目をするので、さらにクッション性が高められる。
また、成形に際して、中空部９の容積を変更することにより、キャップ本体６のクッション性を用途に応じて任意に変えることができる。
【００１７】
上記実施例において、キャップ本体は球状としたが、形状は限定されずその他任意のブロック形状であってもよい。
また、装着する脚は椅子に限らず、机その他の家具の脚用に使用することができる。
本発明は椅子の脚に限定せず、家具全般を対象とするものであり、また脚の断面形状も本実施例に限定されない。
また脚の素材も金属中空パイプに限定せず、全ての素材を対象としうる。
その他要するにこの発明の要旨を変更しない範囲で種々設計変更しうること勿論である。
【００１８】
【発明の効果】
以上、説明したように、本発明によれば、接地キャップ内に密閉されたエアークッション用の中空部を形成することができるので、この容積を変えることによりクッション性の調節ができるのみならず、最も肉厚な球状部分に集中して起きる成形歪みを軽減する役目も果たすことができる。
また、成形に際して、脚受キャップおよび接地部を成形金型の中に設置して、二重成形（ダブルモルデインク）法によって一体成形することができる。
そして、脚係合部とキャップ本体とが一体成形されているため、椅子やテーブルその他の家具の脚を単に差し込むだけで取りつけを完了させることができる。
また、脚係合部を筒状としてある程度の長さで脚を嵌合しうるように設定すれば、成形時の収縮（ヒケ）により脚にしっかりと噛込むので本体が脱落しにくくなる。
なお、椅子等の脚端に取り付けた場合、スタッキング（積み重ね）時に後脚が座板と干渉し合う恐れがあるため、正面から見て左右方向に開脚させる必要がある。  そのためには接地部の下部は球状であることが望ましい。
【図面の簡単な説明】
【図１】  家具用脚の接地キャップの断面図である。
【図２】  （ａ）は同正面図、（ｂ）は底面図である。
【図３】  脚の取付状態を示す斜視図である。
【図４】  キャップ本体内に内装される部品の斜視図である。
【図５】  脚を取り付けた状態の断面図である。
【図６】  椅子の脚に接地キャップを取り付けた状態の斜視図である。
【図７】  金型による成形を示す断面図である。
【符号の説明】
１      接地キャップ
２      挿入孔
３      脚係合部
４      脚受キャップ
５      キャップ栓
６      キャップ本体
７      接地部
８      ピン孔
１０      脚
【図１】
0003676655.tif 000002
【図２】
0003676655.tif 000003
【図３】
0003676655.tif 000004
【図４】
0003676655.tif 000005
【図５】
0003676655.tif 000006
【図６】
0003676655.tif 000007
【図７】
0003676655.tif 000008